【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
波長分割多重（ＷＤＭ）通信ネットワークで用いるための光クロスコネクト（ＯＸＣ）であって、
複数Ｎの波長チャネル（λ１からλＮ）を含むそれぞれのＷＤＭ通信搬送放射を受けるための複数Ｍの光入力（Ｉ１からＩＭ）と、
前記ＯＸＣによってスイッチングされたそれぞれのＷＤＭ通信搬送放射を出力するための複数Ｍの光出力（Ｏ１からＯＭ）と、
光入力（Ｉ１からＩＭ）と光出力（Ｏ１からＯＭ）との間で、選択された波長チャネルをクロスコネクティングするための単一段の光スイッチング・マトリックス（Ｓ１−１からＳ１−Ｎ）であって、前記単一段の光スイッチング・マトリックスは、第１グループのＮ個の光スイッチング・マトリックス（Ｓ１−１からＳ１−Ｎ）を含み、第１グループの光スイッチング・マトリックス（Ｓ１−１からＳ１−Ｎ）のそれぞれのスイッチング・マトリックス（Ｓ１−１からＳ１−Ｎ）が波長チャネル（λ１からλＮ）のそれぞれ一つに割り当てられる光スイッチング・マトリックスとを含み、さらに選択された波長チャネルをそれぞれアドし、ドロッピングするための複数Ｐの光アド入力（ａ１からａＰ）及び光ドロップ出力（ｏ１からｏＰ）とを含み、前記ＯＸＣが、さらに前記光アド入力（ａ１からａＰ）を前記第１グループの光スイッチング・マトリックス（Ｓ１−１からＳ１−Ｎ）の前記光スイッチング・マトリックスの入力（ｉＭ＋１、ｉ３Ｍ−１）及び前記第１グループの光スイッチング・マトリックス（Ｓ１−１からＳ１−Ｎ）の出力（ｏＭ＋１からｏ３Ｍ−１）を光ドロップ出力（ｄ１からｄＰ）へ選択的に接続するための多段光スイッチング・マトリックス（Ｓ４−１からＳ４−（２Ｍ−１）、Ｓ５−１からＳ５−ＡＤ）に選択的に接続するための多段光スイッチング・マトリックス（Ｓ２−１からＳ２−ＡＤ、Ｓ３−１からＳ３−２Ｍ−１）によって特徴付けられるＯＸＣであって、各多段スイッチング・マトリックス（Ｓ２−１からＳ２−ＡＤ、Ｓ３−１からＳ３−２Ｍ−１、およびＳ４−１からＳ４−（２Ｍ−１）、Ｓ５−１からＳ５−ＡＤ）が、第１グループの光スイッチング・マトリックス（Ｓ１−１からＳ１−Ｎ）がＣｌｏｓネットワークの一段を含む多段Ｃｌｏｓネットワークを含むことを特徴とする光クロスコネクト（ＯＸＣ）。
【請求項２】
複数Ｍのデマルチプレクサ（Ｄ１からＤＭ）をさらに備え、各々のデマルチプレクサが、光入力（Ｉ１からＩＭ）の各々ひとつに接続され、各々のデマルチプレクサの出力においてＮ個の波長チャネルの各々ひとつが現れるようにＷＤＭ放射を空間的に分離するように操作可能であるデマルチプレクサであって、同じキャリア波長を出力するための前記デマルチプレクサの出力が前記第１グループの同じスイッチング・マトリックス（Ｓ１−１からＳ１−Ｎ）の各々の入力（ｉ１からｉＭ）に接続されることを特徴とする請求項１に記載のＯＸＣ。
【請求項３】
複数（Ｍ）の光マルチプレクサ（Ｍ１からＭＭ）をさらに備え、前記光マルチプレクサの各々がその入力において波長チャネルを合成し、対応するＷＤＭ放射を生成し、各々の光マルチプレクサが複数Ｍの光出力（Ｏ１からＯＭ）のそれぞれのために提供され、各々のマルチプレクサの各入力が第１グループの各スイッチング・マトリックス（Ｓ１−１からＳ１−Ｎ）の各々の出力（ｏ１からｏＭ）に接続されることを特徴とする請求項１に記載のＯＸＣ。
【請求項４】
光アド入力（ａ１からａＰ）を第１グループの光スイッチング・マトリックスの入力に選択的に接続するための多段光スイッチング・マトリックス（Ｓ２−１からＳ２−ＡＤ、Ｓ３−１からＳ３−２Ｍ−１）が第２グループのスイッチング・マトリックス（Ｓ２−１からＳ２−ＡＤ）と、第３グループのスイッチング・マトリックス（Ｓ３−１からＳ３−２Ｍ−１）とを含むＯＸＣであって、各アド入力（ａ１からａＰ）が第２グループのスイッチング・マトリックス（Ｓ２−１からＳ２−ＡＤ）の入力に接続され、前記第２グループのスイッチング・マトリックスの出力が第３グループのスイッチング・マトリックス（Ｓ３−１からＳ３−２Ｍ−１）の入力に接続され、第３グループのスイッチング・マトリックスの出力が第１グループのスイッチング・マトリックスの入力に接続され、それにより前記第２、第３、および第１グループがＣｌｏｓネットワークを形成することを特徴とする請求項１に記載のＯＸＣ。
【請求項５】
前記第２グループのスイッチング・マトリックス（Ｓ２−１からＳ２−ＡＤ）の各々が、波長チャネルをアドするためのＭ個の入力と、第３グループ（Ｓ３−１からＳ３−(２Ｍ−１））のスイッチング・マトリックスの入力に接続される少なくとも２Ｍ−１個の出力とを有することを特徴とする請求項４に記載のＯＸＣ。
【請求項６】
前記第１グループの光スイッチング・マトリックス（Ｓ１−１からＳ１−Ｎ）の各々が、光入力（Ｉ１からＩＭ）と光出力（Ｏ１からＯＭ）との間で、ＷＤＭ放射をスイッチングするためのＭ個の出力と、第３グループのスイッチング・マトリックスの出力に接続される少なくとも２Ｍ−１個の入力とを有することを特徴とする請求項４または５に記載のＯＸＣ。
【請求項７】
第１グループのスイッチング・マトリックス（Ｓ１−１からＳ１−Ｎ）のスイッチング・マトリックスの出力（ｏ１からｏＭ）を光ドロップ出力（ｄ１からｄＰ）に選択的に接続するための多段光スイッチング・マトリックス（Ｓ４−１からＳ４−（２Ｍ−１）、Ｓ５−１からＳ５−ＡＤ）が第４グループのスイッチング・マトリックス（Ｓ４−１からＳ４−２Ｍ−１）と、第５グループのスイッチング・マトリックス（Ｓ５−１からＳ５−ＡＤ）を含み、各ドロップ出力（ｄ１からｄＰ）が、第５グループのスイッチング・マトリックス（Ｓ５−１からＳ５−ＡＤ）の出力に接続され、前記第５グループのスイッチング・マトリックス（Ｓ５−１からＳ５−ＡＤ）の入力が第４グループのスイッチング・マトリックス（Ｓ４−１からＳ４−２（２Ｍ−１））の出力に接続され、前記第４グループのスイッチング・マトリックスが前記第１グループのスイッチング・マトリックスの出力に接続され、それにより前記第１、第４、および第５グループのスイッチング・マトリックスがＣｌｏｓネットワークを形成することを特徴とする請求項１に記載のＯＸＣ。
【請求項８】
前記第５グループの光スイッチング・マトリックス（Ｓ５−１からＳ５−ＡＤ）の各々が、波長チャネルをドロップするためのＭ個の出力と、第４グループ（Ｓ４−１からＳ４−（２Ｍ−１））のスイッチング・マトリックスの出力に接続された少なくとも２Ｍ−１の入力とを有することを特徴とする請求項７に記載のＯＸＣ。
【請求項９】
前記第１グループの光スイッチング・マトリックス（Ｓ１−１からＳ１−Ｎ）の各々が、光入力（Ｉ１からＩＭ）からの波長チャネルを受けるためのＭ個の入力と、前記第４グループ（Ｓ４−１からＳ４−（２Ｍ−１））のスイッチング・マトリックスの入力に接続された少なくとも２Ｍ−１個の出力（ｏＭ＋１からｏ３Ｍ−１）とを有することを特徴とする請求項７または請求項８に記載のＯＸＣ。
【請求項１０】
前記第２と、前記第５グループとの光スイッチング・マトリックスが同一のものであることを特徴とする請求項４から請求項７のいずれか１項に記載のＯＸＣ。
【手続補正２】
【補正対象書類名】明細書
【補正対象項目名】０００９
【補正方法】変更
【補正の内容】
【０００９】
本発明は、選択された波長チャネルをアド／ドロップでき、かつその構造が、既存のコンポーネントを使用し続けながらもアド／ドロップ可能な波長チャネル数を増加させるように適合可能なＯＸＣを提供しようとすることから生まれたものである。
本発明によれば、複数Ｎの波長チャネル（λ１からλＮ）を含むそれぞれのＷＤＭ通信搬送放射を受けるための複数Ｍの光入力（Ｉ１からＩＭ）と、前記ＯＸＣによってスイッチングされたそれぞれのＷＤＭ通信搬送放射を出力するための複数Ｍの光出力（Ｏ１からＯＭ）と、光入力（Ｉ１からＩＭ）と光出力（Ｏ１からＯＭ）との間で、選択された波長チャネルをクロスコネクティングするための単一段の光スイッチング・マトリックス（Ｓ１−１からＳ１−Ｎ）であって、前記単一段の光スイッチング・マトリックスは、第１グループのＮ個の光スイッチング・マトリックス（Ｓ１−１からＳ１−Ｎ）を含み、第１グループの光スイッチング・マトリックス（Ｓ１−１からＳ１−Ｎ）のそれぞれのスイッチング・マトリックス（Ｓ１−１からＳ１−Ｎ）が波長チャネル（λ１からλＮ）のそれぞれ一つに割り当てられる光スイッチング・マトリックスとを含む、波長分割多重（ＷＤＭ）通信ネットワークで用いるための光クロスコネクト（ＯＸＣ）であって、さらに選択された波長チャネルをそれぞれアドし、ドロッピングするための複数Ｐの光アド入力（ａ１からａ９）及び光ドロップ出力（ｏ１からｏ９）とを含み、前記ＯＸＣが、さらに前記光アド入力（ａ１からａＰ）を前記第１グループの光スイッチング・マトリックス（Ｓ１−１からＳ１−Ｎ）の前記光スイッチング・マトリックスの入力（ｉＭ＋１、ｉ３Ｍ−１）及び前記第１グループの光スイッチング・マトリックス（Ｓ１−１からＳ１−Ｎ）の出力（ｏＭ＋１からｏ３Ｍ−１）を光ドロップ出力（ｄ１からｄＰ）へ選択的に接続するための多段光スイッチング・マトリックス（Ｓ４−１からＳ４−（２Ｍ−１）、Ｓ５−１からＳ５−ＡＤ）に選択的に接続するための多段光スイッチング・マトリックス（Ｓ２−１からＳ２−ＡＤ、Ｓ３−１からＳ３−２Ｍ−１）によって特徴付けられるＯＸＣであって、各多段スイッチング・マトリックス（Ｓ２−１からＳ２−ＡＤ、Ｓ３−１からＳ３−２Ｍ−１、およびＳ４−１からＳ４−（２Ｍ−１）、Ｓ５−１からＳ５−ＡＤ）が、第１グループの光スイッチング・マトリックス（Ｓ１−１からＳ１−Ｎ）がＣｌｏｓネットワークの一段を含む多段Ｃｌｏｓネットワークを含むことを特徴とする光クロスコネクト（ＯＸＣ）。が提供される。
【手続補正３】
【補正対象書類名】明細書
【補正対象項目名】００１０
【補正方法】変更
【補正の内容】
【００１０】
好ましくは、複数Ｍのデマルチプレクサ（Ｄ１からＤＭ）をさらに備え、各々のデマルチプレクサが、光入力（Ｉ１からＩＭ）の各々ひとつに接続され、各々のデマルチプレクサの出力においてＮ個の波長チャネルの各々ひとつが現れるようにＷＤＭ放射を空間的に分割するように操作可能であるデマルチプレクサであって、同じ搬送波波長を出力するための前記デマルチプレクサの出力が前記第１グループの同じスイッチング・マトリックス（Ｓ１−１からＳ１−Ｎ）の各々の入力（ｉ１からｉＭ）に接続されることが好ましい。
【手続補正４】
【補正対象書類名】明細書
【補正対象項目名】００１１
【補正方法】変更
【補正の内容】
【００１１】
ＯＸＣはさらに、複数（Ｍ）の光マルチプレクサ（Ｍ１からＭＭ）をさらに備えることが有利である。前記光マルチプレクサの各々がその入力において波長チャネルを合成し、対応するＷＤＭ放射を生成し、各々の光マルチプレクサが複数Ｍの光出力（Ｏ１からＯＭ）のそれぞれのために提供され、各々のマルチプレクサの各入力が第１グループの各スイッチング・マトリックス（Ｓ１−１からＳ１−Ｎ）の各々の出力（ｏ１からｏＭ）に接続される。
【手続補正５】
【補正対象書類名】明細書
【補正対象項目名】００１２
【補正方法】変更
【補正の内容】
【００１２】
好ましい実施形態において、ＯＸＣは光アド入力（ａ１からａＰ）を第１グループの光スイッチング・マトリックスの入力に選択的に接続するための多段光スイッチング・マトリックス（Ｓ２−１からＳ２−ＡＤ、Ｓ３−１からＳ３−２Ｍ−１）が第２グループのスイッチング・マトリックス（Ｓ２−１からＳ２−ＡＤ）と、第３グループのスイッチング・マトリックス（Ｓ３−１からＳ３−２Ｍ−１）とを含むことが有利である。各アド入力（ａ１からａＰ）が第２グループのスイッチング・マトリックス（Ｓ２−１からＳ２−ＡＤ）の入力に接続され、前記第２グループのスイッチング・マトリックスの出力が第３グループのスイッチング・マトリックス（Ｓ３−１からＳ３−２Ｍ−１）の入力に接続され、第３グループのスイッチング・マトリックスの出力が第１グループのスイッチング・マトリックスの入力に接続され、それにより前記第２、第３、および第１グループがＣｌｏｓネットワークを形成する。
好ましくは、ＯＸＣは、前記第２グループのスイッチング・マトリックス（Ｓ２−１からＳ２−ＡＤ）の各々が、波長チャネルをアドするためのＭ個の入力と、第３グループ（Ｓ３−１からＳ３−(２Ｍ−１））のスイッチング・マトリックスの入力に接続される少なくとも２Ｍ−１個の出力とを有することが好ましい。
ＯＸＣは、前記第１グループの光スイッチング・マトリックス（Ｓ１−１からＳ１−Ｎ）の各々が、光入力（Ｉ１からＩＭ）と光出力（Ｏ１からＯＭ）との間で、ＷＤＭ放射をスイッチングするためのＭ個の出力と、第３グループのスイッチング・マトリックスの出力に接続される少なくとも２Ｍ−１個の入力とを有することが有利である。
【手続補正６】
【補正対象書類名】明細書
【補正対象項目名】００１３
【補正方法】変更
【補正の内容】
【００１３】
好ましい実施形態において、ＯＸＣは、第１グループのスイッチング・マトリックス（Ｓ１−１からＳ１−Ｎ）のスイッチング・マトリックスの出力（ｏ１からｏＭ）を光ドロップ出力（ｄ１からｄＰ）に選択的に接続するための多段光スイッチング・マトリックス（Ｓ４−１からＳ４−（２Ｍ−１）、Ｓ５−１からＳ５−ＡＤ）が第４グループのスイッチング・マトリックス（Ｓ４−１からＳ４−２Ｍ−１）と、第５グループのスイッチング・マトリックス（Ｓ５−１からＳ５−ＡＤ）を含み、各ドロップ出力（ｄ１からｄＰ）が、第５グループのスイッチング・マトリックス（Ｓ５−１からＳ５−ＡＤ）の出力に接続され、前記第５グループのスイッチング・マトリックス（Ｓ５−１からＳ５−ＡＤ）の入力が第４グループのスイッチング・マトリックス（Ｓ４−１からＳ４−２（２Ｍ−１））の出力に接続され、前記第４グループのスイッチング・マトリックスが前記第１グループのスイッチング・マトリックスの出力に接続され、それにより前記第１、第４、および第５グループのスイッチング・マトリックスがＣｌｏｓネットワークを形成することを特徴とする。
好ましくは、ＯＸＣは、前記第５グループの光スイッチング・マトリックス（Ｓ５−１からＳ５−ＡＤ）の各々が、波長チャネルをドロップするためのＭ個の出力と、第４グループ（Ｓ４−１からＳ４−（２Ｍ−１））のスイッチング・マトリックスの出力に接続された少なくとも２Ｍ−１の入力とを有することを特徴とする。
ＯＸＣは、前記第１グループの光スイッチング・マトリックス（Ｓ１−１からＳ１−Ｎ）の各々が、光入力（Ｉ１からＩＭ）からの波長チャネルを受けるためのＭ個の入力と、前記第４グループ（Ｓ４−１からＳ４−（２Ｍ−１））のスイッチング・マトリックスの入力に接続された少なくとも２Ｍ−１個の出力（ｏＭ＋１からｏ３Ｍ−１）とを有することが有利である。
前記第２と、前記第５グループとの光スイッチング・マトリックスが同一のものであることが好ましい。
ここでは、例に過ぎないが、添付図面を参照して本発明を説明する。